(57)【特許請求の範囲】
【請求項１】
工場内に設置される印刷機など作業中にガス状汚染物質を発生する汚染源の局所排気システムにおいて、工場内に設置される汚染源を囲むように背面壁と左右の仕切壁からなるブースを、その汚染源と左右の仕切壁間に作業できる隙間を形成できるよう、かつ汚染源と背面壁間で排気通路を形成するように立設し、そのブースの上方に面状の吹出口を形成し、上記背面壁の下部に上記排気通路からの気流を導入する吸込口を形成し、その吸込口と吹出口間に循環ダクトを接続し、
該循環ダクトを、吸込口に接続されると共にブースの左右幅と同じ幅で垂直に立ち上がった垂直ダクトと、その垂直ダクトより上記面状の吹出口に沿って延びる水平ダクトで形成し、
その垂直ダクトにエジェクタを接続して、エジェクタの下方の垂直ダクトを吸込側ダクト部、上方の垂直ダクトを吹出側ダクト部とし、かつ吹出側ダクト部の前後幅を吸込側ダクト部よりやや広く形成し、その垂直ダクトの吸込側ダクト部の下部に排気ダクトを接続し、
上記エジェクタが、吹出側ダクト部の前後壁より空気を吹き込む風箱と、上記吸込側ダクト部に接続すべく下部が広げられて形成され上部が風箱を通すよう設けられ、かつ吹出側ダクト部の前後壁とそれぞれ所定の間隔をおいて延びるように設けられた整流板とで構成され、風箱からの気流が、吹出側ダクト部の前後壁と整流板間で垂直に線状に吹き出され、その気流で、上記吸込口からのガスを、吸込側ダクトを介して吸引すると共に整流板間を通して吹出側ダクトに導入して循環すると共に吸込口からのガスの一部を排気ダクトから排気する
ことを特徴とする局所排気システム。
【請求項２】
ブースの前面が開口し、ブース前面上部に、エアカーテンを形成する吹き込み手段を設けた請求項１記載の局所排気システム。
【請求項３】
ブースの上方にＨＥＰＡフィルタが配置されて面状の吹出口が形成される請求項１記載の局所排気システム。
【発明の詳細な説明】
【０００１】
【発明の属する技術分野】
本発明は、有機溶剤等のガス状汚染物質を発散する印刷機械等の汚染源で作業を行う際に、その汚染源からのガス状汚染物質を他の清浄空間に拡散するのを防止するための局所排気システムに関するものである。
【０００２】
【従来の技術】
最近、悪臭を放つガス状汚染物質が拡散し作業環境が悪化している工場において、発生した汚染ガスを周囲に拡散させることなくその発生源で捕捉・吸引して排気する局所排気システムが使用されてきている。
【０００３】
この局所排気システムは、有機溶剤拡散汚染工場、例えば、印刷機を使用する工場では、その印刷機からの有機溶剤が汚染源となる。
【０００４】
従来、これらガス状汚染物質の拡散に対する作業環境の改善としての局所排気システムは、汚染源となる印刷機械等の周りをエアカーテンで仕切ったり、上方に排気フードを取り付けて汚染源からのガス状物質を排気するようにしている。
【０００５】
【発明が解決しようとする課題】
しかしながら、この局所排気システムは、排気効率を上昇させるためには、囲い部の下端と汚染源の隙間を小さくしたいが作業性が悪化する問題があると共に大風量を必要とする問題がある。
【０００６】
特に、発生するガス状汚染物質の比重は、空気より大きい場合が多く、ガスが下方へと降下しやすく、上方で排気するにはさらに大風量を必要とする。さらにこれらガス状汚染物質は、ダクト内壁に付着し易く、排気を停止したときには、その付着したガス状汚染物質が再拡散し、これが汚染源となる問題がある。
【０００７】
そこで、本発明の目的は、上記課題を解決し、排気風量が少なくしかも効率よくガス状汚染物質を捕捉・吸引し排出することができる局所排気システムを提供することにある。
【０００８】
【課題を解決するための手段】
上記目的を達成するために請求項１の発明は、工場内に設置される印刷機など作業中にガス状汚染物質を発生する汚染源の局所排気システムにおいて、工場内に設置される汚染源を囲むように背面壁と左右の仕切壁からなるブースを、その汚染源と左右の仕切壁間に作業できる隙間を形成できるよう、かつ汚染源と背面壁間で排気通路を形成するように立設し、そのブースの上方に面状の吹出口を形成し、上記背面壁の下部に上記排気通路からの気流を導入する吸込口を形成し、その吸込口と吹出口間に循環ダクトを接続し、
該循環ダクトを、吸込口に接続されると共にブースの左右幅と同じ幅で垂直に立ち上がった垂直ダクトと、その垂直ダクトより上記面状の吹出口に沿って延びる水平ダクトで形成し、
その垂直ダクトにエジェクタを接続して、エジェクタの下方の垂直ダクトを吸込側ダクト部、上方の垂直ダクトを吹出側ダクト部とし、かつ吹出側ダクト部の前後幅を吸込側ダクト部よりやや広く形成し、その垂直ダクトの吸込側ダクト部の下部に排気ダクトを接続し、
上記エジェクタが、吹出側ダクト部の前後壁より空気を吹き込む風箱と、上記吸込側ダクト部に接続すべく下部が広げられて形成され上部が風箱を通すよう設けられ、かつ吹出側ダクト部の前後壁とそれぞれ所定の間隔をおいて延びるように設けられた整流板とで構成され、風箱からの気流が、吹出側ダクト部の前後壁と整流板間で垂直に線状に吹き出され、その気流で、上記吸込口からのガスを、吸込側ダクトを介して吸引すると共に整流板間を通して吹出側ダクトに導入して循環すると共に吸込口からのガスの一部を排気ダクトから排気する
ようにした局所排気システムである。
【０００９】
請求項２の発明は、ブースの前面が開口し、ブース前面上部に、エアカーテンを形成する吹込み手段を設けた請求項１記載の局所排気システムである。
【００１０】
請求項３の発明は、ブースの上方にＨＥＰＡフィルタが配置されて面状の吹出口が形成される請求項１記載の局所排気システムである。
【００１１】
【発明の実施の形態】
以下、本発明の好適実施の形態を添付図面に基づいて詳述する。
【００１２】
図１において、１０は、印刷機等の汚染源で、この汚染源１０からは矢印１３に示すように有機溶剤などのガス状汚染物質が発生する。
【００１３】
汚染源１０の周囲には、その背面側と左右を仕切るブース１４が立設され、そのブース１４の上部には、面状吹出口１２となるＨＥＰＡフィルタ１５が設けられる。
【００１４】
ブース１４の背面壁１６は、汚染源１０の背面とで排気通路１７を形成するように汚染源１０の背面と所定の間隔を置くように設けられ、その背面壁１６の下部に排気通路１７からの気流を導入する吸込口１８が設けられる。またブース１４の左右の仕切壁１９は、作業者が作業時に通れる程度の隙間が形成される。この左右の仕切壁１９は、剛性のあるパネルで形成しても或いは透明なビニールカーテンで形成するようにしてもいずれでもよい。
【００１５】
吸込口１８とＨＥＰＡフィルタ１５の上面側とは循環ダクト２０で接続される。
【００１６】
この循環ダクト２０はブース１４の左右幅と同じ幅に形成され、吸込口１８より垂直に立ち上がった垂直ダクト２１とその垂直ダクト２１より水平に延びると共にＨＥＰＡフィルタ１５の上面を覆う水平ダクト２２とからなっている。
【００１７】
この垂直ダクト２１には、ダクト２１の内壁に沿って線状に空気を吹き出すエジェクタ２３が接続されると共にそのエジェクタ２３に空気を供給するエジェクタ用ファン２４が接続される。
【００１８】
エジェクタ２３は、垂直ダクト２１の周囲、特にダクト２１の前後より空気を吹き込むための風箱２５と、その風箱２５の内周に設けられ、下方の吸込側ダクト部２１ａに接続されると共に上方の吹出側ダクト部２１ｂの前後壁とそれぞれ所定の間隔を置いて設けられた整流板２６と、整流板２６に設けられ風箱２５からの気流を、線状に整流するフィンプレート２７とからなっている。この整流板２６の下部は吸込側ダクト部２１ａに接続すべく広げられて形成される。
【００１９】
エジェクタ２３の吹出側ダクト部２１ｂは、吸込側ダクト２１ａより前後幅がやや広く形成され、その吸込側ダクト２１ａに排気ダクト２８が接続される。
【００２０】
ＨＥＰＡフィルタ１５の前面には、ブース１４の前面が開口に、矢印２９に示すようにエアカーテンを形成する吹込み手段３０が設けられる。この吹込み手段３０は、エアカーテン用ファン３１と、そのファン３１に接続され、ファン３１からの清浄空気をカーテン状に吹き出すためのエアカーテンボックス３２とからなっている。
【００２１】
次に本発明の局所排気システムを説明する。
【００２２】
エジェクタファン２４より風箱２５内に空気が吹き込まれ、吹込側ダクト部２１ｂの前後壁と整流板２６から矢印３３に示すように空気が吹き出されると、吸込側ダクト部２１ａには、矢印３４に示すような吸引流が生じ、これが垂直ダクト２１を上昇し、水平ダクト２２から面状吹出口１２としてのＨＥＰＡフィルタ１５を通して微粒子が除去された清浄空気として矢印３５に示すように層流状態で吹き出される。
【００２３】
汚染源１０から矢印１３に示すようにガス状汚染物質が発生するが、このガス状汚染物質は、空気より比重が重く、面状吹出口１２からブース１４内を矢印３５のように降下する清浄空気と共に背面側の排気通路１７より吸入口１８を介して循環ダクト２０に吸い込まれる。またブース１４の前面の開口は、吹込み手段３０から吹き出されるエアカーテンにより遮断され、ガス状汚染物質が開口より発散することが阻止される。
【００２４】
循環ダクト２０内に導入されたガス状汚染物質を含む空気は、水平ダクト２２を介しＨＥＰＡフィルタ１５を通して清浄空気としてブース１４内に吹き出される。この循環量の調整はファン２４をインバータ制御するか又はファン２４前後に設けられた可変ダンパーの開度を調整することで行う。
【００２５】
循環ダクト２０での循環流は、エジェクタ２３から吹き込まれる空気により行われるため、エジェクタ２３での空気量が少なく、またファン２４，３１は、外付けとなるため防爆型のファンが不要となる。
【００２６】
また、エジェクタ２３はダクト２０の前後壁に沿って線状をなすために、ブース１４内の空気を偏流なく均等に吹き込むことができる。
【００２７】
【発明の効果】
以上要するに本発明によれば、汚染源をブースで囲みその前面開口部をエアカーテンで遮断すると共に背面側でエジェクタを接続した循環ダクトで吸い込むと共に面状吹出口を介してブースに清浄空気として吹き込むことでガス状汚染物質の発散を確実に防止した局所排気システムとすることが可能となる。
【図面の簡単な説明】
【図１】本発明の一実施の形態を示す図である。
【符号の説明】
１０  汚染源
１４  ブース
１５  ＨＥＰＡフィルタ
２０  循環ダクト
２３  エジェクタ
２７  排気ダクト
【図１】
0003961040.tif 000002